【事件の表示】
　特願２００１−２３１７７７「熱現像装置」拒絶査定不服審判事件〔平成１５年　２月１３日出願公開、特開２００３−　４３６５５〕について、次のとおり審決する。
【結　論】
　本件審判の請求は、成り立たない。
【理　由】
第１　手続の経緯・本願発明の認定
　本願は平成１３年７月３１日の出願であって、平成１８年１１月６日付けで手続補正書が提出され、平成１９年７月１０日付けで拒絶理由が通知され、同年９月５日付けで意見書及び手続補正書が提出されたが、同年１０月１７日付けで拒絶査定がされたため、これを不服として同年１１月１９日付けで本件審判請求がされるとともに、同年１２月１７日付けで手続補正書が提出されたものである。
　そして、当審においてこれを審理した結果、平成２１年２月２０日付けの補正の却下の決定により平成１９年１２月１７日付けの手続補正を却下するとともに、平成２１年２月２０日付けで拒絶理由を通知したところ、平成２１年４月２３日付けで意見書が提出されるとともに、同日付けで明細書について手続補正がされたものである。
　したがって、本願の請求項１に係る発明（以下、「本願発明」という。）は、平成２１年４月２３日付けの手続補正により補正された明細書の特許請求の範囲の請求項１に記載された事項によって特定される次のとおりのものと認める。
　
「熱現像感光材料を加熱し熱現像する熱現像部を備える熱現像装置であって、
熱現像後の熱現像感光材料を排出する排出口と、
前記熱現像部で加熱された熱現像感光材料を前記排出口へ向け搬送しつつ冷却する後工程部と、
前記後工程部の上方に該後工程部を覆うように傾斜して設けられ、傾斜下方に位置する前記排出口から排出された熱現像感光材料を傾斜載置すると共に、該後工程で発生するガスを案内する傾斜面を有する排出トレイと
前記傾斜面により案内されたガスを前記傾斜面の最上部近傍で吸引する吸引手段と、を備え
前記傾斜面は、該排出トレイと対応して該排出トレイに対して装置内部に設けられており、前記後工程部で搬送されている熱現像感光材料から発生するガスを該傾斜面に沿って下方から上方へ案内する傾斜面であることを特徴とする熱現像装置。」
　
　
第２　当審の判断
１　引用刊行物の記載事項
　当審で通知した拒絶理由に引用され、本願の出願前に頒布された刊行物である特開２０００−２５５８６９号公報（以下、「引用例１」という。）には、以下の（ア）ないし（ス）の記載が図面とともにある。
　
（ア）「【００１４】本実施の形態の画像記録装置においては、レーザ光を照射することによって潜像が形成された画像記録媒体に対して、処理液を使用しない乾式現像方式を用いて前記潜像の顕像化（現像）を行うドライシステムが採用されている。
【００１５】乾式現像方式としては、以下の（１）〜（４）の方式を採用することが可能である。」
　
（イ）「【００１８】（３）  光触媒として作用するハロゲン化銀、画像形成物質として作用する銀塩、銀イオン用還元剤等をバインダー内に分散させた感光層を有する感光材料に潜像を形成した後、この感光材料を所定の温度に加熱することにより、潜像を顕像化する方式｛例えば、「熱によって処理される銀システム（Thermally Processed Silver Systems）」［Ｂ．シェリー（Shely ）著、イメージング・プロセッシーズ・アンド・マテリアルズ（Imaging Processes and Materials ） Neblette 第８版、スタージ（Sturge）、Ｖ．ウオールワース（Walworth）、Ａ．シェップ（Shepp ）編集、第２頁、１９９６年］、Research Disclosure １７０２９（１９７８年）、ＥＰ８０３７６４Ａ１号、ＥＰ８０３７６５Ａ１号、特開平８−２１１５２１号公報参照｝。」
　
（ウ）「【００２１】本実施の形態においては、前記（１）〜（４）の方式に用いられる感光材料および感光感熱記録材料を総称して、以下、熱現像感光材料と記す。
【００２２】図１は、本発明の実施の形態が適用された画像記録装置１０を示す斜視図である。
【００２３】画像記録装置１０の装置本体１２における正面（操作面）の左上部分には、該画像記録装置１０を操作するための操作部およびモニタの機能を有するタッチパネル１４が設けられている。また、装置本体１２の正面におけるタッチパネル１４の下側には、扉１６が設けられている。この扉１６を開けることによって、装置本体１２の内部に配された後述するシート供給部２２、前搬送部２４、画像記録部２６、転送部２８、熱現像部３０および排出部３４に対するメンテナンスを行うことができる。
【００２４】図２は、画像記録装置１０の概略的な構成を示す説明図である。
【００２５】画像記録装置１０は、熱現像感光材料からなる画像記録媒体としての記録シート２０の搬送経路順に設けられたシート供給部２２と、前搬送部２４と、画像記録部２６と、転送部２８と、熱現像部３０と、排出部３４とによって構成されている。また、画像記録装置１０は、これらシート供給部２２、前搬送部２４、画像記録部２６、転送部２８、熱現像部３０および排出部３４の動作を制御するための制御部３６を有している。」
　
（エ）「【００５２】図２に示すように、転送部２８の下流側、すなわち、装置本体１２の内部における左上部分には、潜像が形成された記録シートに対して前記潜像の顕像化（熱現像）を行うための熱現像部３０が設けられている。この熱現像部３０は、同一円周上に配された４つのプレートヒータ２３０ａ〜２３０ｄを備えている。これらプレートヒータ２３０ａ〜２３０ｄの内面２３２ａ〜２３２ｄは断面略円弧状に形成されており、これら内面２３２ａ〜２３２ｄに沿って、記録シート２０の搬送路が円周状に構成される。
【００５３】各プレートヒータ２３０ａ〜２３０ｄの内面２３２ａ〜２３２ｄには、それぞれ、３つの押さえローラ２３４が接している。また、プレートヒータ２３０ａの上流側近傍にはローラ対２３６が配され、プレートヒータ２３０ｄの下流側近傍にはローラ対２３８が配されている。さらに、ローラ対２３８の下流側には、ローラ対２４０が配されている。」
　
（オ）「【００５５】熱現像部３０には、排気用のファン２４３が配されている。なお、前記シート供給部２２、前搬送部２４、画像記録部２６および転送部２８が配置されている領域には、ファンは設けられていない。このため、塵埃等の発生が回避される。
【００５６】また、装置本体１２の内壁面には、熱現像部３０を囲うように、断熱材２４４が設けられている。このように断熱材２４４を設けることによって、プレートヒータ２３０ａ〜２３０ｄからの熱が、後述する第２の排出トレイ２９２上に排出された記録シート２０に伝わることが回避される。
【００５７】熱現像部３０の下流側、すなわち、装置本体１２の内部における右上部分には、排出部３４が設けられている。
【００５８】図９に示すように、この排出部３４は、ローラ対２５０と、該ローラ対２５０の下流側に配された搬送路切り換え用の可動ガイド板（切換手段）２５２とを有している。（以下略）」
　
（カ）「【００５９】可動ガイド板２５２の下流側には、記録シート２０の一方の搬送路（下側の搬送路）を構成する第１のガイド板２５４と、記録シート２０の他方の搬送路（上側の搬送路）を構成する第２のガイド板２５６とが配されている。
【００６０】第１のガイド板２５４の下流側であり、装置本体１２の右側壁に形成された第１の排出口２５８に近接する位置には、ローラ対２６０が配されている。以下、ローラ対２６０から第１の排出口２５８を経て後述する第１の排出トレイ２９０へと向かう方向を第１の排出方向ａと記す。」
　
（キ）「【００６２】第２のガイド板２５６の下流側であり、突出部２６２の左側壁に形成された第２の排出口２６６に近接する位置には、ローラ対２６８が配されている。」
　
（ク）「【００６３】（中略）以下、ローラ対２６８から第２の排出口２６６を経て第２の排出トレイ２９２へと向かう方向を第２の排出方向ｂと記す。
【００６４】図１および図２に示すように、装置本体１２の右側壁における第１の排出口２５８の下側の位置には、該第１の排出口２５８から排出された記録シート２０が収容される第１の排出トレイ２９０が取り付けられている。また、図２および図３に示すように、第２の排出口２６６の下流側における装置本体１２の上面には、該装置本体１２と一体的に、第２の排出トレイ２９２が形成されている。」
　
（ケ）「【００７８】画像記録部２６において潜像が形成された記録シート２０は、第２のローラ対２０２によって搬送され、転送部２８を構成するガイド板２２０ａ、２２０ｂを経てローラ対２２１に送られる。さらに、記録シート２０は、ローラ対２２１によって搬送され、ガイド板２２２ａ、２２２ｂを経て２組のローラ対２２３、２２４に順次供給される。
【００７９】ローラ対２２３、２２４の図示しない回転軸にはワンウェイクラッチが連結されており、このワンウェイクラッチによって、ローラ対２２３、２２４の回転が規制されている。
【００８０】ローラ対２２３、２２４を経た記録シート２０は、クリーニングローラ２２５によって塵埃等が除去された後、熱現像部３０に送られる。
【００８１】記録シート２０は、ローラ対２３６によって、プレートヒータ２３０ａ〜２３０ｄに順次供給される。このとき、記録シート２０は、押さえローラ２３４によってプレートヒータ２３０ａ〜２３０ｄに押さえ付けられ、該プレートヒータ２３０ａ〜２３０ｄからの熱によって熱現像される。そして、熱現像後の記録シート２０は、ローラ対２３８、２４０を経て下流側に搬送される。」
　
（コ）「【００８４】排出部３４のローラ対２５０に供給された記録シート２０は、該ローラ対２５０によって搬送されながら、その下流側に設けられた可動ガイド板２５２によって搬送路が切り換えられる。可動ガイド板２５２が下側にシフトしているときには、記録シート２０は第１のガイド板２５４に沿った下側の搬送路に送られ、一方、可動ガイド板２５２が上側にシフトしているときには、記録シート２０は第２のガイド板２５６に沿った上側の搬送路に送られる。
【００８５】下側の搬送路に送られた記録シート２０は、第１のガイド板２５４を経てローラ対２６０に供給され、このローラ対２６０によって第１の排出口２５８に送られる。そして、この第１の排出口２５８から第１の排出方向ａに沿って排出され、該第１の排出口２５８の下側に設けられた第１の排出トレイ２９０に収容される。」
　
（サ）「【００８７】一方、上側の搬送路に送られた記録シート２０は、ガイドローラ２６４ａ〜２６４ｃのガイド作用下に、第２のガイド板２５６に沿ってローラ対２６８に供給される（図９参照）。そして、ローラ対２６８によって第２の排出口２６６に送られ、この第２の排出口２６６から第２の排出方向ｂに沿って、第２の排出トレイ２９２上に排出される。（以下略）」
　
（シ）図２から、（ａ）第２の排出トレイ２９２は、ローラ対２４０，２５０の上方に、かつ、前記ローラ対２４０，２５０を覆うように傾斜して設けられていること、（ｂ）第２の排出トレイ２９２は、第２の排出口２６６から排出された記録シート２０を傾斜載置するものであること、（ｃ）第２の排出トレイ２９２の装置本体内部側の面は傾斜面であること、及び、（ｄ）第２の排出口２６６は、第２の排出トレイ２９２の傾斜下方に位置することを読み取ることができる。
　
（ス）図２から、排気用のファン２４３は、ローラ対２４０，２５０のうちプレートヒータ２３０ａ〜２３０ｄの近くに位置する前記ローラ対２４０の近傍の前記ローラ対２４０，２５０間の上方、かつ、第２の排出トレイ２９２の下方の位置に取り付けられていることを読み取ることができる。
　
２　引用例１に記載の発明の認定
　引用例１の上記記載事項（ア）ないし（ス）から、引用例１には次の発明が記載されていると認めることができる。
　
「光触媒として作用するハロゲン化銀、画像形成物質として作用する銀塩、銀イオン用還元剤等をバインダー内に分散させた感光層を有する熱現像感光材料からなる画像記録媒体としての記録シート２０に潜像を形成する画像記録部２６と、
前記画像記録部２６によって潜像が形成された前記記録シート２０を加熱して熱現像するプレートヒータ２３０ａ〜２３０ｄと、
熱現像された前記記録シート２０を第１の排出口２５８または第２の排出口２６６に搬送するローラ対２４０，２５０と、
前記ローラ対２５０によって搬送された前記記録シート２０の搬送路を切り換える可動ガイド板２５２と、
前記可動ガイド板２５２によって下側の搬送路に送られて前記第１の排出口２５８から排出された前記記録シート２０を載置する第１の排出トレイ２９０と、
前記ローラ対２４０，２５０の上方に、かつ、前記ローラ対２４０，２５０を覆うように傾斜して設けられ、前記可動ガイド板２５２によって上側の搬送路に送られて前記第２の排出口２６６から排出された前記記録シート２０を傾斜載置する第２の排出トレイ２９２と、
前記ローラ対２４０，２５０のうち前記プレートヒータ２３０ａ〜２３０ｄの近くに位置する前記ローラ対２４０の近傍の前記ローラ対２４０，２５０間の上方、かつ、前記第２の排出トレイ２９２の下方の位置に取り付けられた排気用のファン２４３と、
を備え、
前記第２の排出口２６６は前記第２の排出トレイ２９２の傾斜下方に位置し、
前記第２の排出トレイ２９２の装置本体内部側の面は傾斜面である、
画像記録装置。」（以下、「引用発明１」という。）
　
３　本願発明と引用発明１の一致点及び相違点の認定
（１）引用発明１の「光触媒として作用するハロゲン化銀、画像形成物質として作用する銀塩、銀イオン用還元剤等をバインダー内に分散させた感光層を有する熱現像感光材料からなる画像記録媒体としての記録シート２０」は、本願発明の「熱現像感光材料」に相当する。
　したがって、引用発明１の「潜像が形成された前記記録シート２０を加熱して熱現像するプレートヒータ２３０ａ〜２３０ｄ」は、本願発明の「熱現像感光材料を加熱し熱現像する熱現像部」に相当し、引用発明１の「前記記録シート２０を加熱して熱現像するプレートヒータ２３０ａ〜２３０ｄ」を備えた「画像記録装置」は、本願発明の「熱現像感光材料を加熱し熱現像する熱現像部を備える熱現像装置」に相当する。
　
（２）引用発明１の「熱現像された前記記録シート２０」を「排出」する「第２の排出口２６６」は、本願発明の「熱現像後の熱現像感光材料を排出する排出口」に相当する。
　
（３）引用発明１の「プレートヒータ２３０ａ〜２３０ｄ」によって「加熱」されて「熱現像された前記記録シート２０」を「ローラ対２４０，２５０」により「第２の排出口２６６に搬送する」間に「熱現像された前記記録シート２０」が冷却されることは、本願出願時における技術常識である。
　したがって、引用発明１の「プレートヒータ２３０ａ〜２３０ｄ」によって「加熱」されて「熱現像された前記記録シート２０」を「ローラ対２４０，２５０」により「第２の排出口２６６に搬送する」ことは、本願発明の「前記熱現像部で加熱された熱現像感光材料を前記排出口へ向け搬送しつつ冷却する後工程部」に相当する。
　
（４）引用発明１の「前記ローラ対２４０，２５０間の上方に、かつ、前記ローラ対２４０，２５０を覆うように傾斜して設けられ」、「傾斜下方に位置」する「前記第２の排出口２６６から排出された前記記録シート２０を傾斜載置する」と共に、「装置本体内部側の面は傾斜面である」「第２の排出トレイ２９２」と、本願発明の「前記後工程部の上方に該後工程部を覆うように傾斜して設けられ、傾斜下方に位置する前記排出口から排出された熱現像感光材料を傾斜載置すると共に、該後工程で発生するガスを案内する傾斜面を有する排出トレイ」とは、「前記後工程部の上方に該後工程部を覆うように傾斜して設けられ、傾斜下方に位置する前記排出口から排出された熱現像感光材料を傾斜載置すると共に、傾斜面を有する排出トレイ」である点で一致する。
　また、引用発明１の「第２の排出トレイ２９２の装置本体内部側の面は傾斜面である」ことと本願発明の「前記傾斜面は、該排出トレイと対応して該排出トレイに対して装置内部に設けられており、前記後工程部で搬送されている熱現像感光材料から発生するガスを該傾斜面に沿って下方から上方へ案内する傾斜面である」こととは、「前記傾斜面は、該排出トレイと対応して該排出トレイに対して装置内部に設けられて」いる「傾斜面である」点で一致する。
　
（５）潜像の形成されたハロゲン化銀熱現像感光フィルムを熱現像する熱現像装置の分野では、前記熱現像感光フィルムの熱現像後の搬送工程においても前記熱現像感光フィルムは熱いため、前記熱現像感光フィルムからガスが発生することは、本願出願時における当業者の技術常識である（例えば、特表平１０−５００４９６号公報（公報第４頁第８行〜第５頁第７行、第７頁第４〜２０行、第７頁第２８行〜第８頁第４行等）、特表平１０−５０７４０３号公報（公報第４頁第８行〜第５頁第７行、第７頁第４〜１６行、第７頁第２４〜２８行等）、特表２０００−５０１８４５号公報（公報第４頁第８行〜第５頁第５行、第６頁第１８〜２８行、第７頁第６〜９行等）を参照。）。また、上記技術常識において、熱現像感光フィルムの熱現像後の搬送工程で前記熱現像感光フィルムからガスが発生するのは、前記熱現像感光フィルムの熱現像後の搬送工程においても前記熱現像感光フィルムが熱いためであるから、前記ガスが前記熱現像感光フィルムの上方に移動することは、当業者にとって自明な事項である。
　かかる技術常識、及び、引用発明１の「排気用のファン２４３」は「前記ローラ対２４０，２５０の上方」「の位置に取り付けられ」ていること、すなわち、引用発明１の「排気用のファン２４３」は「プレートヒータ２３０ａ〜２３０ｄ」によって「加熱」されて「熱現像された前記記録シート２０」の「ローラ対２４０，２５０」による搬送路の上方に取り付けられていることに照らすと、引用発明１の「排気用のファン２４３」は、「プレートヒータ２３０ａ〜２３０ｄ」によって「加熱」されて「熱現像された前記記録シート２０」を「ローラ対２４０，２５０」により「第２の排出口２６６に搬送する」際に、「熱現像された前記記録シート２０」から発生するガスを排気していることは明らかである。
　また、本願発明の記載から、本願発明の「前記傾斜面により案内されたガス」は「後工程で発生するガス」であることは明らかである。
　したがって、引用発明１の「プレートヒータ２３０ａ〜２３０ｄ」によって「加熱」されて「熱現像された前記記録シート２０」を「ローラ対２４０，２５０」により「第２の排出口２６６に搬送する」際に「熱現像された前記記録シート２０」から発生するガスを排気する「排気用のファン２４３」と本願発明の「前記傾斜面により案内されたガスを前記傾斜面の最上部近傍で吸引する吸引手段」とは、「該後工程で発生するガスを該後工程部の上方で吸引する吸引手段」である点で一致する。
　
（６）すると、本願発明と引用発明１とは、
　
「熱現像感光材料を加熱し熱現像する熱現像部を備える熱現像装置であって、
熱現像後の熱現像感光材料を排出する排出口と、
前記熱現像部で加熱された熱現像感光材料を前記排出口へ向け搬送しつつ冷却する後工程部と、
前記後工程部の上方に該後工程部を覆うように傾斜して設けられ、傾斜下方に位置する前記排出口から排出された熱現像感光材料を傾斜載置すると共に、傾斜面を有する排出トレイと
該後工程で発生するガスを該後工程部の上方で吸引する吸引手段と、を備え
前記傾斜面は、該排出トレイと対応して該排出トレイに対して装置内部に設けられている傾斜面である
ことを特徴とする熱現像装置。」
　
である点で一致し、以下の点で相違する。
　
〈相違点１〉
　本願発明の「該排出トレイと対応して該排出トレイに対して装置内部に設けられ」た「傾斜面」は「前記後工程部で搬送されている熱現像感光材料から発生するガスを該傾斜面に沿って下方から上方へ案内する」ものであるのに対し、引用発明１の「第２の排出トレイ２９２」の装置本体内部側の「傾斜面」にはそのような限定がない点。
　
〈相違点２〉
　後工程部で搬送されている熱現像感光材料から発生するガスを吸引手段によって吸引する場所が、本願発明では「前記傾斜面の最上部近傍」であるのに対し、引用発明１では「前記ローラ対２４０，２５０のうち前記プレートヒータ２３０ａ〜２３０ｄの近くに位置する前記ローラ対２４０の近傍の前記ローラ対２４０，２５０間の上方、かつ、前記第２の排出トレイ２９２の下方の位置」である点。
　
４　相違点１，２についての判断
（１）潜像の形成されたハロゲン化銀熱現像感光フィルムを熱現像する熱現像装置の分野では、前記熱現像感光フィルムから発生するガスを吸引するファンを装置内部の最上部近傍に配置して、前記ガスを装置内部の最上部近傍で吸引することは、本願出願時において周知の技術的事項である（例えば、特開平１１−１３３５７２号公報（段落【００６５】〜【００６６】、【００６９】〜【００９８】、図２５〜２６等）、特開２０００−２４１９５３号公報（段落【０００３】、【００１６】、【００２４】、【００３８】、【００４０】、図１）を参照。）。
　すると、上記周知事項に基づいて、引用発明１の「排気用のファン２４３」を「第２の排出トレイ２９２」の装置本体内部側の「傾斜面」の最上部近傍に配置して、「プレートヒータ２３０ａ〜２３０ｄ」によって「加熱」されて「熱現像された前記記録シート２０」を「ローラ対２４０，２５０」により「第２の排出口２６６に搬送する」際に「熱現像された前記記録シート２０」から発生するガスを「第２の排出トレイ２９２」の装置本体内部側の「傾斜面」の最上部近傍で吸引し排気することは、当業者にとって容易に想到し得る。
　そして、引用発明１の「第２の排出トレイ２９２」は「前記ローラ対２４０，２５０の上方に、かつ、前記ローラ対２４０，２５０を覆うように傾斜して設けられ」ており、また、上記第２の３（５）で述べたとおり、熱現像感光フィルムの熱現像後の搬送工程で前記熱現像感光フィルムから発生するガスは前記熱現像感光フィルムの上方に移動するから、引用発明１の「排気用のファン２４３」を「第２の排出トレイ２９２」の装置本体内部側の「傾斜面」の最上部近傍に配置すると、引用発明１の「第２の排出トレイ２９２」の装置本体内部側の「傾斜面」が熱現像された「記録シート２０」の搬送工程において前記「記録シート２０」から発生するガスを該「傾斜面」に沿って下方から上方へ案内する作用を有することは、当業者にとって自明の事項である。
　したがって、上記相違点１，２に係る本願発明の発明特定事項を採用することは、当業者にとって想到容易である。
　
（２）ア　なお、請求人は、平成２１年４月２３日付けの意見書において、「ここで、引用文献１おけるファンの設置位置に対する技術的思想について検証します。前述したように引用文献１においては、熱現像部から発生するガスを吸引する際に、熱現像部とファンとの間に他の部材を介することないようにファンを配置すること、また、後工程部の上方かつ傾斜面の下方にファンが配置されていることから、引用文献１においては、熱現像部及び後工程部で発生したガスを機内の部材に触れることなく直接的に吸引するという明確な設計思想があることは当業者であれば考えられる技術思想であります。逆に、引用文献１に記載されたような構成で、仮に傾斜面の上方近傍にファンを配置し、傾斜面をガスの案内に用いた場合には、熱現像部が発する多量のガスが傾斜面に接触することになり、そのことで傾斜面にはガスの凝集物が付着し、クリーニングが必要になるばかりでなく、その凝集物が後工程部に落下するおそれがあり、その場合には後工程部を搬送されてきたフィルムに落下、付着することで、読影に影響する恐れがでてきてしまいます。つまり、引用文献１においては、後工程部と傾斜面の間にファンを設けることで、熱現像部及び後工程部で発生するガスを機内の他の部材に接触しない、即ちガスを凝集させないようにして、そのガスを吸引排気するという技術思想を読み取ることができるものであります。」と主張している。
　
イ　そこで、請求人の上記主張を検討する。
（ア）請求人の上記主張は、引用発明１と異なり、本願発明では、熱現像部が発する多量のガスが傾斜面に接触しないようにされているという技術的事項、すなわち、本願の図９の実施例のように、熱現像部１３０をケーシング１３０ａで覆って、熱現像部１３０で発生するガスが後工程部４００に漏れないようにされているという技術的事項が採用されていることを前提とする主張である。しかし、かかる技術的事項は本願発明には記載されていないから、本願発明においても、請求人の上記主張で指摘した問題が存在することは明らかである。
　したがって、請求人の上記主張は本願発明に基づく主張とは認められず、これを採用することはできない。
　
（イ）また、請求人は上記主張において、「引用文献１においては、熱現像部及び後工程部で発生したガスを機内の部材に触れることなく直接的に吸引するという明確な設計思想がある」と主張している。
　しかし、引用例１には、かかる設計思想を採用したとの明示的な記載がない。
　さらに、引用発明１の「排気用のファン２４３」は「前記ローラ対２４０，２５０のうち前記プレートヒータ２３０ａ〜２３０ｄの近くに位置する前記ローラ対２４０の近傍の前記ローラ対２４０，２５０間の上方、かつ、前記第２の排出トレイ２９２の下方の位置に取り付けられ」ていることに照らすと、引用発明１では、「前記画像記録部２６によって潜像が形成された前記記録シート２０を加熱して熱現像するプレートヒータ２３０ａ〜２３０ｄ」部で発生するガスが「第２の排出トレイ２９２」の装置本体内部側の「傾斜面」に触れないように「排気用のファン２４３」により直接的に吸引しつつ、「プレートヒータ２３０ａ〜２３０ｄ」によって「加熱」されて「熱現像された前記記録シート２０」を「ローラ対２４０，２５０」により「第２の排出口２６６に搬送する」際に「熱現像された前記記録シート２０」から発生するガスが「第２の排出トレイ２９２」の装置本体内部側の「傾斜面」に案内された後に「排気用のファン２４３」により吸引することが可能であることは当業者にとって自明である。
　したがって、請求人の上記主張を採用することはできない。
　　
５　本願発明の進歩性の判断
　以上検討したとおり、引用発明１に上記相違点１ないし２に係る本願発明の発明特定事項を採用することは、当業者にとって想到容易である。
　また、本願発明の効果も、引用例１に記載された発明及び周知技術から当業者が予測し得る程度のものに過ぎない。
　したがって、本願発明は引用例１に記載された発明及び周知技術に基づいて当業者が容易に発明をすることができたものである。
　
６　むすび
　以上のとおり、本願発明は引用例１に記載された発明及び周知技術に基づいて当業者が容易に発明をすることができたものであるから、本願発明は特許法第２９条第２項の規定により特許を受けることができない。
　そして、本願発明が特許を受けることができない以上、本願のその余の請求項に係る発明について検討するまでもなく、本願は、拒絶されるべきものである。
　よって、結論のとおり審決する。